【手続補正書】
【提出日】令和1年8月1日(2019.8.1)
【手続補正１】
【補正対象書類名】特許請求の範囲
【補正対象項目名】全文
【補正方法】変更
【補正の内容】
【特許請求の範囲】
【請求項１】
光学アセンブリであって、
信号光の光路内における第１の横方向に可変のバンドパス光学フィルタと、
前記第１の横方向に可変のバンドパス光学フィルタの下流の前記光路において、前記第１の横方向に可変のバンドパス光学フィルタから第１距離のところに固定された、第２の横方向に可変のバンドパス光学フィルタとを備え、
前記第１の横方向に可変のバンドパス光学フィルタは第１のバンドパス中心波長を有し、
前記第２の横方向に可変のバンドパス光学フィルタは第２のバンドパス中心波長を有し、
前記第１のバンドパス中心波長及び前記第２のバンドパス中心波長は、前記光路を横断する第１方向に沿って相互に調整されて変化し、
前記第１のバンドパス中心波長及び前記第２のバンドパス中心波長は、前記第１方向に沿った距離への実質的に同一の依存性を有する光学アセンブリ。
【請求項２】
請求項１に記載の光学アセンブリにおいて、前記第１のバンドパス中心波長及び前記第２のバンドパス中心波長は、前記第１方向に単調に増加する光学アセンブリ。
【請求項３】
請求項１に記載の光学アセンブリにおいて、
第１端及び第２端を有する光ファイバと、
第１表面及び第２表面を有する光導管とを更に備え、
前記光導管の前記第１表面は前記光ファイバの前記第２端に光学的に結合され、
前記光導管の前記第２表面は前記第１の横方向に可変のバンドパス光学フィルタに光学的に結合される光学アセンブリ。
【請求項４】
請求項３に記載の光学アセンブリにおいて、前記光導管は、前記第１表面から前記信号光を受光し、該信号光を前記第２表面に向けて反射するための、前記第１表面及び前記第２表面の間の光路に配置された第３表面を更に備える光学アセンブリ。
【請求項５】
請求項３に記載の光学アセンブリにおいて、動作中、前記信号光の一部は前記第１の横方向に可変のバンドパス光学フィルタで反射され、前記光導管は、前記反射された光の少なくとも一部を前記第１の横方向に可変のバンドパス光学フィルタに向け直す反射壁を有する光学アセンブリ。
【請求項６】
請求項３に記載の光学アセンブリにおいて、前記光導管は、前記第１表面及び前記第２表面を含む複数の外表面によって画定された均質の透明な材料のスラブを有し、該スラブは前記信号光が該スラブ内で非拘束的に伝播されるように構成される光学アセンブリ。
【請求項７】
光学アセンブリであって、
試料から、該試料が照明光で照射される時に発せられる信号光を集光する光プローブと；
第１端及び第２端を有し、前記第１端が、前記光プローブによって集光された信号光を受光し、該信号光を前記第２端に伝播するために、前記光プローブに光学的に結合される光ファイバと；
第１表面及び第２表面を有する光導管であって、該光導管内を伝播させるため、該光導管の前記第１表面は前記光ファイバの前記第２端に光学的に結合され、前記光ファイバの前記第２端に伝播された前記信号光を受光する光導管と、
前記光導管内に伝播された前記信号光を受光するために、前記光導管の前記第２表面に光学的に結合された第１の横方向に可変のバンドパス光学フィルタと、
前記信号光の光路における前記第１の横方向に可変のバンドパス光学フィルタの下流で、前記第１の横方向に可変のバンドパス光学フィルタから第１距離のところに固定される第２の横方向に可変のバンドパス光学フィルタとを備え、
前記第１の横方向に可変のバンドパス光学フィルタは第１のバンドパス中心波長を有し、前記第２の横方向に可変のバンドパス光学フィルタは第２のバンドパス中心波長を有し、前記第１のバンドパス中心波長及び前記第２のバンドパス中心波長は、前記光路を横断する第１方向に沿って相互に調整されて変化し、
前記第１のバンドパス中心波長及び前記第２のバンドパス中心波長は、前記第１方向に沿った距離への実質的に同一の依存性を有する光学アセンブリ。
【請求項８】
請求項７に記載の光学アセンブリにおいて、前記光プローブは近位端及び遠位端を有する中継光管を有し、前記遠位端は前記試料と接触又は前記試料に挿入され、前記試料から発せられる前記信号光を集光するように構成され、前記中継光管は、前記近位端から遠位端へと、前記中継光管の大部分において、前記信号光を拘束せずに伝播するように更に構成される光学アセンブリ。
【請求項９】
請求項８に記載の光学アセンブリにおいて、前記中継光管の前記遠位端は傾斜した光学面を有する光学アセンブリ。
【請求項１０】
請求項７に記載の光学アセンブリにおいて、前記光プローブは前記試料を流体状又は粒状で保持するための透過キュベットを有する光学アセンブリ。
【請求項１１】
請求項７に記載の光学アセンブリにおいて、前記第２の横方向に可変のバンドパス光学フィルタに光学的に結合され、前記第２の横方向に可変のバンドパス光学フィルタを通して伝播される前記信号光の波長の選択的検出のための、前記第１方向に沿って配置された光検出器を有する光検出器アレイを更に備える光アセンブリ。
【請求項１２】
請求項７に記載の光学アセンブリにおいて、前記第１及び第２の横方向に可変のバンドパス光学フィルタの内の少なくとも一つは並んで配置された複数のバンドパス光学フィルタセグメントを有し、各バンドパス光学フィルタセグメントは隣接するバンドパス光学フィルタセグメントの透過中心波長とは異なる、横方向に不変の透過中心波長を有し、前記光学アセンブリは、前記第２の横方向に可変のバンドパス光学フィルタに光学的に結合され、前記第２の横方向に可変のバンドパス光学フィルタを通して伝播される前記光信号の波長の選択的検出のための、前記第１方向及び第２方向に沿って配置された光検出器を有する２次元光検出器アレイを更に備える光学アセンブリ。
【請求項１３】
請求項１に記載の光学アセンブリにおいて、前記第１の横方向に可変のバンドパス光学フィルタ及び第２の横方向に可変のバンドパス光学フィルタの内の少なくとも一つは、並べて配置された複数のバンドパス光学フィルタセグメントを有し、各バンドパス光学フィルタセグメントは、隣接するバンドパス光学フィルタセグメントの横方向に不変の透過中心波長とは異なる横方向に不変の透過中心波長を有する光学アセンブリ。
【請求項１４】
請求項１に記載の光学アセンブリにおいて、前記第１の横方向に可変のバンドパス光学フィルタ及び第２の横方向に可変のバンドパス光学フィルタの各々は、並べて配置されたバンドパス光学フィルタセグメントのアレイを有し、各バンドパス光学フィルタセグメントは、隣接するバンドパス光学フィルタセグメントの透過中心波長とは異なる横方向に不変の透過中心波長を有し、
前記第１及び第２の横方向に可変のバンドパス光学フィルタの前記バンドパス光学フィルタセグメントの前記透過中心波長は、相互に調整される光学アセンブリ。
【請求項１５】
請求項１４に記載の光学アセンブリにおいて、前記第１の横方向に可変のバンドパス光学フィルタ又は第２の横方向に可変のバンドパス光学フィルタの前記バンドパス光学フィルタセグメントの透過帯域幅は、対応する前記バンドパス光学フィルタセグメントの透過中心波長の１０％以下である光学アセンブリ。
【請求項１６】
請求項１４に記載の光学アセンブリにおいて、前記第１の横方向に可変のバンドパス光学フィルタ及び第２の横方向に可変のバンドパス光学フィルタの前記バンドパス光学フィルタセグメントの前記透過中心波長は、波長ステップで波長領域に広がり、
前記第１の横方向に可変のバンドパス光学フィルタの前記隣接するバンドパス光学フィルタセグメントの前記透過中心波長は、前記波長ステップの少なくとも整数倍異なり、
前記第２の横方向に可変のバンドパス光学フィルタの前記隣接するバンドパス光学フィルタの前記透過中心波長は、前記波長ステップの少なくとも整数倍異なる光学アセンブリ。
【請求項１７】
請求項１４に記載の光学アセンブリにおいて、前記第１の横方向に可変のバンドパス光学フィルタ及び第２の横方向に可変のバンドパス光学フィルタの内の少なくとも一つの隣接するバンドパス光学フィルタセグメント間の黒いグリッドを更に備える光学アセンブリ。
【請求項１８】
請求項１７に記載の光学アセンブリにおいて、前記第２の横方向に可変のバンドパス光学フィルタに光学的に結合され、前記第２の横方向に可変のバンドパス光学フィルタを通して伝播される前記信号光の波長の選択的検出のための光検出器を有し、該光検出器はその間の境界によって分離される光検出器アレイを更に備え、前記黒いグリッドは、前記光検出器間の境界に沿って、前記第２の横方向に可変のバンドパス光学フィルタの隣接するバンドパス光学フィルタセグメントの間に配置される光学アセンブリ。
【請求項１９】
請求項１４に記載の光学アセンブリにおいて、前記第２の横方向に可変のバンドパス光学フィルタで前記第１の横方向に可変のバンドパス光学フィルタの方向に反射される光を抑制するために、前記第１の横方向に可変のバンドパス光学フィルタ及び第２の横方向に可変のバンドパス光学フィルタの間の前記光路に配置される円形偏光子を更に備える光学アセンブリ。
【請求項２０】
請求項１４に記載の光学アセンブリにおいて、前記第２の横方向に可変のバンドパス光学フィルタに光学的に結合され、前記第２の横方向に可変のバンドパス光学フィルタを通して伝播される前記信号光の波長の選択的検出のための、前記第１方向に沿って配置された光検出器を有する光検出器アレイを更に備える光学アセンブリ。
【請求項２１】
請求項１４に記載の光学アセンブリにおいて、前記第１の横方向に可変のバンドパス光学フィルタ及び第２の横方向に可変のバンドパス光学フィルタの各々の前記バンドパス光学フィルタセグメントの前記アレイは、前記バンドパス光学フィルタセグメントの２次元アレイを有し、
前記第１及び第２の横方向に可変のバンドパス光学フィルタの前記バンドパス光学フィルタセグメントの前記透過中心波長は、前記第１方向及び前記第１方向に垂直で前記光路を横断する第２方向に沿って相互に調整される光学アセンブリ。
【請求項２２】
請求項２１に記載の光学アセンブリにおいて、前記第２の横方向に可変のバンドパス光学フィルタに光学的に結合され、前記第２の横方向に可変のバンドパス光学フィルタを通して伝播される前記信号光の波長の選択的検出のために、前記第１方向及び前記第２方向に沿って配置された光検出器を有する二次元の光検出器アレイを更に備える光学アセンブリ。
【請求項２３】
請求項２１に記載の光学アセンブリにおいて、前記第１方向に沿って延在し、前記第２方向沿いに間隔を空けて設置された複数の光検出器アレイを更に備え、各光検出器アレイは、前記第２の横方向に可変のバンドパス光学フィルタと光学的に結合され、前記第１方向に沿って配置された光検出器を有し、各光検出器アレイは、対応する動作波長領域及び前記各検出器アレイに光学的に結合された、対応する複数のバンドパス光学フィルタセグメントを有し、
前記複数のバンドパス光学フィルタセグメントの前記透過中心波長は、前記対応する光検出器アレイの前記動作波長領域内である光学アセンブリ。
【請求項２４】
請求項１４に記載の光学アセンブリにおいて、前記第１及び第２の横方向に可変のバンドパス光学フィルタの各々の前記バンドパス光学フィルタセグメントは複合画素に分けられ、各複合画素は、各複合画素に共通する予め定められた一組の透過中心波長を有する予め定められた一組のバンドパス光学フィルタセグメントを有し、
前記光学アセンブリは、
前記第１の横方向に可変のバンドパス光学フィルタに光学的に結合され、前記フィルタに像を形成する物体と、
前記第２の横方向に可変のバンドパス光学フィルタを通して伝播される前記信号光の波長の選択的検出のために、前記第２の横方向に可変のバンドパス光学フィルタに光学的に結合され、第１方向及び第２方向に沿って配置された光検出器を有する二次元光検出器アレイを更に備える光学アセンブリ。
【請求項２５】
請求項１４に記載の光学アセンブリにおいて、前記第２の横方向に可変のバンドパス光学フィルタに光学的に結合され、前記第２の横方向に可変のバンドパス光学フィルタを通して伝播される前記信号光の波長の選択的検出のための、第１方向に沿って配置された光検出器を有する光検出器アレイを更に備える光学アセンブリ。
【請求項２６】
光学分光器アセンブリを製作する方法であって、該方法は、
第１のバンドパス中心波長を有する第１の横方向に可変のバンドパス光学フィルタ、及び第２のバンドパス中心波長を有する第２の横方向に可変のバンドパス光学フィルタを設けるステップと、
前記第１の横方向に可変のバンドパス光学フィルタの下流の光路において、前記第１の横方向に可変のバンドパス光学フィルタから第１距離のところに前記第２の横方向に可変のバンドパス光学フィルタを固定するステップであって、前記第１のバンドパス中心波長及び前記第２のバンドパス中心波長は前記光路を横断する第１方向に沿って相互に調整されて変化するステップと、
センサを前記第２の横方向に可変のバンドパス光学フィルタに光学的に結合させるステップであって、前記センサは、前記第２の横方向に可変のバンドパス光学フィルタを通して前記光路に沿って伝播される信号光の波長の選択的検出のための、前記第１方向に沿って配置された光検出器を備え、前記第１のバンドパス中心波長及び前記第２のバンドパス中心波長は、前記第１方向に沿った距離への実質的に同一の依存性を有するステップとを含む方法。
【請求項２７】
光学分光器アセンブリを製作する方法であって、該方法は、
試料から、該試料が照明光で照射される際に発せされる信号光を集光する光プローブを設けるステップと、
前記光プローブによって集光された前記信号光を受光し、前記信号光を前記光ファイバ内でその第２端に向けて伝播させるため、光ファイバの第１端を前記光プローブに光学的に結合するステップと、
前記光ファイバの前記第２端に伝播される前記信号光を受光して前記光導管内でその第２表面に向けて伝播させるために、光導管の第１表面を前記光ファイバの前記第２端に光学的に結合するステップと、
第１のバンドパス中心波長を有する第１の横方向に可変のバンドパス光学フィルタを、前記光導管に伝播される信号光を受光するために、前記光導管の前記第２表面に光学的に結合するステップと、
前記信号光の光路における前記第１の横方向に可変のバンドパス光学フィルタの下流で、第２のバンドパス中心波長を有する第２の横方向に可変のバンドパス光学フィルタを前記第１の横方向に可変のバンドパス光学フィルタから第１距離のところに固定するステップであって、前記第１のバンドパス中心波長及び前記第２のバンドパス中心波長は、前記光路を横断する第１方向に沿って相互に調整されて変化するステップと、
センサを前記第２の横方向に可変のバンドパス光学フィルタに光学的に結合するステップであって、前記センサは、前記第２の横方向に可変のバンドパス光学フィルタを通して伝播される前記信号光の波長の選択的検出のための、前記第１方向に沿って配置される光検出器を備え、前記第１のバンドパス中心波長及び前記第２のバンドパス中心波長は、前記第１方向に沿った距離への実質的に同一の依存性を有するステップとを含む方法。